(57)【要約】【課題】  前かごを自転車に容易に着脱でき、安定に取付けできて、取付けのための部品数が少ない簡単な構成で、製作し易く、安価、軽量で、かつ異なるハンドル形状に対応し易いブラケットを提供することを目的とする。【解決手段】  かご取付時に、かご側の取付板と面接触するブラケット側の連結部の一部を、凸部を有する平板として構成し、かご側の取付板の対応する位置に凸部を挿入する挿入穴を有し、かご連結部を支える左右支持部と平板に囲まれるようにして、左右に支軸を持つ撓み抑制材を有し、その左右支軸を左右支持部の軸受けで支えるように構成する。【選択図】        図４
2019038530.tif 000002
【特許請求の範囲】
【請求項１】
自転車の前かごを取付けるためのブラケット３であって、ハンドルバー２１の左右部分またはハンドルポスト２２に取付けるためのハンドル取付部を有し、前かごを取付けるために前かご側の取付板と連結するかご連結部を有するブラケットにおいて、
前かご１取付時にかご側の取付板と面接触するかご連結部３１の一部を、凸部３１ｂを有する平板３１ａとして構成し、かご側の取付板の対応する位置に凸部を挿入する挿入穴１１ｂを有し、かご連結部を支える左右支持部３２と平板３１ａに囲まれるようにして、左右に支軸３５ｂを持つ撓み抑制材３５を有し、その左右支軸を左右支持部の軸受けで支えるように構成し、
さらに撓み抑制材３５の抑制部３５ａが、平板３１ａの裏面に接して平板の撓みを抑制できる外形寸法域（撓み抑制域）と凸部３１ｂが挿入穴１１ｂから外れる程度またはそれ以上に平板３１ａが撓むことができる外形寸法域（撓み許容域）を有し、さらに抑制部３５ａが回動して、その平板方向にある部分が撓み許容域から撓み抑制域に戻るような復元力を生じる弾性手段３５ｃを有する構成か、
または、撓み抑制材の抑制部が弾性を有して、撓んで平板の撓みを許容するような構成の、少なくともいずれかで構成して、
前かごを取付ける時は、かご側の取付板をかご連結部３１に押し当てて、平板３１ａと撓み抑制材３５の復元力に抗して平板３１ａを撓ませようとする時に、撓み抑制材の抑制部３５ａが回動して、その平板方向にある部分が撓み抑制域から撓み許容域に代わるか、または撓み抑制材の抑制部自体が撓むことによって平板の撓みを許容し、平板が撓んだ状態で、かご側の取付板を面接触させながらずらしつつ押入れることができて、所定の位置にきた時に撓んだ平板と撓み抑制材の復元力によって凸部が挿入穴に挿入されるように作用し、
前かご１を取外す時は、平板３１ａを手動で撓ませて凸部３１ｂを挿入穴１１ｂから外すことによって前かごを取外せるように作用することを特徴とする前かご取付け用ブラケット。
【請求項２】
請求項１の撓み抑制材の抑制部が弾性を有して、撓んで平板３１ａの撓みを許容するような構成の場合であって、撓み抑制材３６が線材で構成され、その線材は、左右支持部３２の軸受けで支えられる左右支軸３６ｂから左右それぞれが直角に曲げられて支持部３２の内側に沿って延び、さらに平板３１ａの裏面に沿って抑制部３６ｂとなって、その先で左右線材が一体であって、抑制部３６ａが平板３１ａを押付ける方向に復元力が働くように、
左右支軸３６ｂを左右方向で同一線上でなく、ずらして構成するか、
または、支軸３６ｂが回動しないように左右支軸の近辺で動止め３６ｃを設けるように構成することを特徴とする前かご取付け用ブラケット。
【請求項３】
請求項２において、ハンドル取付部３４ｂの部分（第一部分）がアーム３４ａを有し、かご連結部とそれを支える左右の支持部と撓み抑制材の部分（第二部分）がアーム接続部３３を有して、第一部分のアームを第二部分のアーム接続部に差込んで接続材で結合するように構成し、
撓み抑制材３６の左右線材が左右支軸３６ｂから支持部３２の内側に沿い、さらに平板３１ａの裏面に沿って延びる左右線材の中央部の空いた空間に、アーム３４ａが平板裏面のすぐ近くまで入り込めるような長さを有し、アームの先端近くまでアーム接続部３３との結合できる手段を有するように構成することを特徴とする前かご取付け用ブラケット。
【請求項４】
自転車の前かごを取付けるためのブラケット４であって、ハンドルバー２１の左右部分またはハンドルポスト２２に取付けるためのハンドル取付部３４ｂを有し、前かごを取付けるために前かご側の取付板と連結するかご連結部４１を有するブラケットにおいて、
前かご取付時にかご側の取付板１１の外側と面接触する押付け面４１ａａを有する押付け部材４１ａと、取付板の２つの長穴１１ａの少なくともそれぞれの上端に引掛けるための引掛け部４１ｂａが取付板の内側と面接触する押付け面４１ｂｂを有する引掛け部材４１ｂと、これらの両押付け面で取付板を挟込んで締付ける締付手段４１ｃでかご連結部４１を構成し、かご連結部を支える支持部３２がハンドル取付部３４ｂと繋がるように構成し、
前かごを取付ける時は、かご側の取付板の２つの長穴１１ａの上端に引掛け部４１ｂａを引掛けるようにしてかご連結部４１に前かごを押し当て、前記両押付け面４１ａａ、４１ｂｂで取付板を挟込んで、締付手段４１ｃで締付けることによって、挟込んだ取付板が締付けられるように作用して前かごを固定し、
前かごを取外す時は、逆の手順で締付手段４１ｃで緩めることによって、前記両押付け面４１ａａ、４１ｂｂによる取付板の挟込みが緩むように作用し、前かごの固定を解除でき、かご側の取付板の２つの長穴１１ａの上端への引掛け部４１ｂａの引掛けを外して前かごを取外すことができることを特徴とする前かご取付け用ブラケット。
【請求項５】
請求項４の構成である、取付板１１の２つの長穴１１ａの上端に引掛ける引掛け部４１ｂａに加えて、２つの長穴のそれぞれの下端に引掛けられるように引掛け部の上下位置を調節できる引掛け部材４１ｂを有するように構成し、引掛け部４１ｂａを長穴１１ａの下端に位置合わせして引掛けてから、押付け部材４１ａの押付け面４１ａａと引掛け部４１ｂａの押付け面４１ｂｂで取付板を挟込んで締付手段４１ｃで締付けることによって、挟込んだ取付板が締付けられるように作用し、前かごを固定するか、
または、取付板の２つの長穴１１ａの上端に引掛ける引掛け部４１ｂａに加えて、それらの下方に、方向可変手段４１ｄによって引掛ける方向を変えられる引掛け部４１ｄａを有するように構成し、それぞれの引掛け部を左右いずれかの方向に向けて引掛けてから、押付け部材４１ａの押付け面４１ａａと引掛け部４１ｄａの押付け面４１ｄｂで取付板を挟込んで締付手段４１ｃで締付けることによって、挟込んだ取付板が締付けられるように作用し、前かごを固定することを特徴とする前かご取付け用ブラケット。
【発明の詳細な説明】
【技術分野】
【０００１】
本発明は自転車の前かご取付け用ブラケットに関するものである。
【背景技術】
【０００２】
現在普及している自転車の前かごは、従来例１として図１に示すようにシティーサイクルのハンドルポスト２２をフレーム２３のヘッドチューブ２３ａに挿込む部分に回転止め構造で取付けたブラケット７１のほぼ直角面の２つの穴と前かご背面の取付板（普及形）１１の２つの長穴１１ａにそれぞれ螺子を通してナットとで締付け、さらに前かごの下部の取付板と取付金具７２ａでバスケットステー７２を挟むようにして螺子締めして固定するものである。
この例では、前かごをブラケットやバスケットステーに螺子締めで取付けているため、前かごを容易に着脱することができない。
【０００３】
またロードバイクやクロスバイクなどに、またシティーサイクルでも上記の一般的なブラケットやバスケットステー７２の無いシティーサイクルなどに前かご取付けるための特殊なブラケットが用意されている。
図２に示す従来例２として、ブラケット８のハンドルバー取付部８３でハンドルバー２１を巻込むように連結し、かご連結部８１で前かごを取付ける樹脂製ブラケット８がある。これは、前かご背面の取付板１１の専用取付穴１１ａにブラケットのかご連結部８１の受け部８１ａを差込み、取付穴の上縁が受け部８１ａに当たるまで前かごを押下げた時、かご連結部８１の縦面の凸部８２ａが、その後方の機構部８２ｂ内にあるバネの復元力によって前かご背面の取付板の挿入穴１１ｂに挿入されると、凸部が挿入穴から抜けないようになって前かご１を保持するものである。
この従来例２は、バネの復元力が安定に働くように凸部とバネと操作部が機構部８２ｂとして小さなユニット（凸部機構ユニット８２）で構成されて、樹脂製ブラケット本体に熱融着や螺子締めによって取付けられている。ブラケットは部品数が多く、製作工数のかかる構成になっている。また、前かごの取付板１１の穴１１ａは専用の形状でなければならず、前かごは専用品となる。
【０００４】
図３に示す従来例３として、ブラケット９のハンドルポスト取付部９４でハンドルポストを掴むように連結し、前かごの取付板１１に設けた凸部機構ユニット９２とブラケットの受け板９３で前かごを取付ける鋼製ブラケットがある。これは、前かごの取付板１１に取付けた凸部機構ユニット９２をブラケットの受け板９３のスリットに上から差込んで押下げた時、凸部機構ユニット９２の縦面から突き出ている凸部９２ａが、機構部９２ｃ内にあるバネの復元力によってブラケットの受け板９３の挿入穴９３ａに挿入されると、凸部が挿入穴から抜けないようになって前かごを保持するものである。
この従来例は、バネの復元力が安定に働くように凸部９２ａと操作部を有する可動板９２ｂとバネが機構部９２ｃとしてユニット（凸部機構ユニット９２）構成されて、前かご背面の取付板に螺子締めで取付けられている。ブラケットの部品数は少ないが、かご側にそれなりの部品数のある凸部機構ユニット９２を取付けるため、特殊な前かご（専用品）となると共に、組立工数が掛る構成になっている。また鋼製であるため重量が大きくなっている。
【０００５】
さらには、前かごの着脱を前提とする従来例２と従来例３の場合、ハンドルに取付ける部分から前かごまでの距離を調整によって変えることができないため、ハンドル部の形状の違い（ハンドルステム２１ａが標準的なものよりかなり前方に位置する形状のものや前方に湾曲したハンドル形状のもの）によっては前かごの取付が不適切な位置になる場合があり、それを防ぐために予めブラケットを長めにしておかなければならない。
【先行技術文献】
【特許文献】
【０００６】
文献検索したが、見い出せず。
【発明の概要】
【発明が解決しようとする課題】
【０００７】
第１に、前かごを自転車に容易に着脱でき、安定に取付けできて、取付けのための部品数が少ない簡単な構成で、製作し易く、安価、軽量で、かつ異なるハンドル形状に対応し易いブラケットを提供すること、
第２に、現在普及している前かご、つまり普及形の取付板を持つ前かごをそのままで容易に着脱できるブラケットを提供することを目的とする。
【課題を解決するための手段】
【０００８】
請求項１の発明の構成上の特徴と作用を示す。請求項１の発明は、自転車の前かご１を取付けるためのブラケット３であって、ハンドルバー２１の左右部分またはハンドルポスト２２に取付けるためのハンドル取付部を有し、前かごを取付けるために前かご側の取付板と連結するかご連結部を有するブラケットにおいて、
前かご１取付時にかご側の取付板と面接触するかご連結部３１の一部を、凸部３１ｂを有する平板３１ａとして構成し、かご側の取付板の対応する位置に凸部を挿入する挿入穴１１ｂを有し、かご連結部を支える左右支持部３２と平板３１ａに囲まれるようにして、左右に支軸３５ｂを持つ撓み抑制材３５を有し、その左右支軸を左右支持部の軸受けで支えるように構成し、さらに
【０００９】
撓み抑制材３５の抑制部３５ａが、平板３１ａの裏面に接して平板の撓みを抑制できる外形寸法域（撓み抑制域）と凸部３１ｂが挿入穴１１ｂから外れる程度またはそれ以上に平板３１ａが撓むことができる外形寸法域（撓み許容域）を有し、さらに抑制部３５ａが回動して、その平板方向にある部分が撓み許容域から撓み抑制域に戻るような復元力を生じる弾性手段３５ｃを有する構成か、
または、撓み抑制材の抑制部が弾性を有して、撓んで平板の撓みを許容するような構成の、少なくともいずれかで構成することを特徴とする。
【００１０】
前かごを取付ける時は、かご側の取付板をかご連結部３１に押し当てて、平板３１ａと撓み抑制材３５の復元力に抗して平板３１ａを撓ませようとする時に、撓み抑制材の抑制部３５ａが回動して、その平板方向にある部分が撓み抑制域から撓み許容域に代わるか、または撓み抑制材の抑制部自体が撓むことによって平板の撓みを許容し、平板が撓んだ状態で、かご側の取付板を面接触させながらずらしつつ押入れることができて、所定の位置にきた時に撓んだ平板と撓み抑制材の復元力によって凸部が挿入穴に挿入されるように作用し、
前かご１を取外す時は、平板３１ａを手動で撓ませて凸部３１ｂを挿入穴１１ｂから外すことによって前かごを取外せるように作用する。
【００１１】
前かご取付け後の定常時、平板３１ａの裏面に接している撓み抑制材３５の抑制部３５ａは弾性状態にあって平板を押付ける方向に復元力が働いているため、振動などの外力によって平板が動いて凸部３１ｂが挿入穴１１ｂから外れることを防止し、かごの取付を安定に保持するように作用するものである。
平板３１ａを含むかご連結部３１と左右の支持部３２及びアーム接続部３３を一体成形でき、撓み抑制材３５も部品点数が少なく、構造的にもかご連結部３１に簡単に取付けできるものである。
【００１２】
請求項２の発明の構成上の特徴と作用を示す。請求項２の発明は、請求項１の撓み抑制材の抑制部が弾性を有して、撓んで平板３１ａの撓みを許容するような構成の場合であって、撓み抑制材３６が線材で構成され、その線材は、左右支持部３２の軸受けで支えられる左右支軸３６ｂから左右それぞれが直角に曲げられて支持部３２の内側に沿って延び、さらに平板３１ａの裏面に沿って抑制部３６ｂとなって、その先で左右線材が一体であって、抑制部３６ａが平板３１ａを押付ける方向に復元力が働くように、
左右支軸３６ｂを左右方向で同一線上でなく、ずらして構成するか、
または、支軸３６ｂが回動しないように、左右支軸の近辺で動止め３６ｃを設けるように構成することを特徴とする。
【００１３】
左右支軸３６ｂをずらす構成においては、ずらすことによって左右支軸が回動せず固定されるため、撓み抑制材３６は撓むことができ、平板３１ａを押付ける方向に復元力を発生するように作用する。また左右支軸をずらす位置角度を変えることによって、平板を押付ける方向の復元力の大きさを変えることができるように作用する。
【００１４】
左右支軸の近辺で動止め３６ｃを設ける構成においては、動止め３６ｃによって左右支軸が回動せず固定されるため、撓み抑制材３６は撓むことができ、平板を押付ける方向に復元力を発生するように作用する。
【００１５】
いずれの構成においても、撓み抑制材３６は部品点数が一点だけであり、構造的にもかご連結部３１に非常に簡単に取付けできる。
【００１６】
請求項３の発明の構成上の特徴と作用を示す。請求項３の発明は、請求項２において、ハンドル（ポスト）取付部３４ｂの部分（第一部分）がアーム３４ａを有し、かご連結部とそれを支える左右の支持部と撓み抑制材の部分（第二部分）がアーム接続部３３を有して、第一部分のアームを第二部分のアーム接続部に差込んで接続材で結合するように構成し、
撓み抑制材３６の左右線材が左右支軸３６ｂから支持部３２の内側に沿い、さらに平板３１ａの裏面に沿って延びる左右線材の中央部の空いた空間に、アーム３４ａが平板裏面のすぐ近くまで入り込めるような長さを有し、アームの先端近くまでアーム接続部３３と結合できる手段（穴など）を有するように構成することを特徴とする。
【００１７】
撓み抑制材３６が、左右線材の中央部の空いた空間を持つことによって、アーム３４ａが平板裏面のすぐ近くまで入り込めるので、アームを長くすることができ、長くしたアームは、アーム接続部との接続位置を変えることによって、ハンドルと前かごの距離を調整することができるように作用する。この距離の調整によって、異なるハンドル形状に対応し易くなるものである。
【００１８】
請求項４の発明の構成上の特徴と作用を示す。請求項４の発明は、自転車の前かごを取付けるためのブラケット４であって、ハンドルバー２１の左右部分またはハンドルポスト２２に取付けるためのハンドル（ポスト）取付部３４ｂを有し、前かごを取付けるために前かご側の取付板１１と連結するかご連結部４１を有するブラケット４において、
前かご取付時にかご側の取付板の外側と面接触する押付け面４１ａａを有する押付け部材４１ａと、取付板の２つの長穴１１ａの少なくともそれぞれの上端に引掛けるための引掛け部４１ｂａが取付板の内側と面接触する押付け面４１ｂｂを有する引掛け部材４１ｂと、これらの両押付け面で取付板を挟込んで締付ける締付手段４１ｃでかご連結部を構成し、かご連結部を支える支持部３２がハンドル取付部３４ｂと繋がるように構成することを特徴とする。
【００１９】
前かごを取付ける時は、かご側の取付板１１の２つの長穴１１ａの上端に引掛け部４１ｂａを引掛けるようにしてかご連結部４１に前かごを押し当て、前記両押付け面４１ａａ、４１ｂｂで取付板を挟込んで、締付手段４１ｃで締付けることによって、挟込んだ取付板が締付けられるように作用して前かごを固定し、
前かごを取外す時は、逆の手順で締付手段４１ｃで緩めることによって、前記両押付け面４１ａａ、４１ｂｂによる取付板の挟込みが緩むように作用し、前かごの固定を解除でき、かご側の取付板の２つの長穴１１ａの上端への引掛け部４１ｂａの引掛けを外して前かごを取外すことができる。
【００２０】
請求項５の発明の構成上の特徴と作用を示す。請求項５の発明は、請求項４の構成である、取付板１１の２つの長穴１１ａの上端に引掛ける引掛け部４１ｂａに加えて、２つの長穴のそれぞれの下端に引掛けられるように引掛け部の上下位置を調節できる引掛け部材４１ｂを有する構成を特徴とし、引掛け部４１ｂａを長穴１１ａの下端に位置合わせして引掛けてから、押付け部材４１ａの押付け面４１ａａと引掛け部４１ｂａの押付け面４１ｂｂで取付板１１を挟込んで締付手段４１ｃで締付けることによって、挟込んだ取付板が締付けられるように作用し、前かごを固定するか、
【００２１】
または、取付板１１の２つの長穴１１ａの上端に引掛ける引掛け部４１ｂａに加えて、それらの下方に、方向可変手段４１ｄによって引掛ける方向を変えられる引掛け部４１ｄａを有する構成を特徴とし、それぞれの引掛け部を左右いずれかの方向に向けて引掛けてから、押付け部材４１ａの押付け面４１ａａと引掛け部４１ｄａの押付け面４１ｄｂで取付板を挟込んで締付手段４１ｃで締付けることによって、挟込んだ取付板が締付けられるように作用し、前かごを固定するものである。
【発明の効果】
【００２２】
本発明の自転車の前かご取付け用ブラケットによれば、前かごを自転車に容易に着脱でき、安定に取付けできて、取付けのための部品数が非常に少ない簡単な構成で、製作し易く、安価、軽量で、かつ異なるハンドル形状に対応し易いブラケットを提供することができる。
さらにまた、上記の効果に加えて現在普及している前かごをそのままで、容易に着脱できるブラケットを提供することができる。
【図面の簡単な説明】
【００２３】
【図１】従来例１のブラケット（普及形）による前かご取付全体図
【図２】従来例２のブラケット
【図３】従来例３のブラケット
【図４】実施例  のブラケットによる前かご取付全体図
【図５】実施例１のブラケット
【図６】実施例１の撓み抑制材と平板の動作モード
【図７】実施例１の前かご取付け手順
【図８】実施例１の前かご取外し手順
【図９】実施例２のブラケット
【図１０】実施例２の撓み抑制材と平板の動作モード
【図１１】実施例２の前かご取付け手順
【図１２】実施例２の前かご取外し手順
【図１３】別例１  の撓み抑制材と平板の動作モード
【図１４】別例２  の撓み抑制材と平板の動作モード
【図１５】実施例３のブラケットによる前かご取付全体図
【図１６】普及形前かごの取付板の代表例
【図１７】実施例３のブラケット
【図１８】実施例３のブラケットの前かご連結構造と取付手順
【図１９】別例３  のブラケットの引掛け部の方向可変手段の構造
【図２０】別例３  のブラケットの引掛け部の方向可変手段の動作
【発明を実施するための形態】
【実施例１】
【００２４】
図４に、実施例１、２のブラケット３による前かご取付け全体図を示す。
請求項１に関する実施例１について、図４〜８に基づいて説明する。図４、５に示すように、ブラケット３は、ハンドルポスト２２に取付けるハンドル（ポスト）取付部３４ｂとアーム３４ａの部分（第一部分）と、次に前かご１を連結するかご連結部３１とそれを支持する左右の支持部３２とアーム接続部３３の一体成形品に、前かごの着脱を制御する撓み抑制材３５が支持部３２に取付けられた部分（第二部分）が、アーム３４ａをアーム接続部３３に差込んで螺子で結合して構成されている。
ハンドル（ポスト）取付部３４ｂは、ハンドルポスト２２を掴むようにして螺子締めされてハンドルポストに連結される。
【００２５】
図５〜図８に示すように、ブラケット３の前方の第一部分のかご連結部３１は、その前面で前かご１を連結、保持するものである。前面の左右それぞれに上下の受け部３１ｃが、横方向に位置をずらして設けられ、その受け部３１ｃに対応して前かご１の取付板１１の左右に段状の２つの取付穴１１ａが空けられている。
また図５に示すように、かご連結部３１の前面の中央には、左右にスリット３１ｄを入れてその両先端を結んだ線付近を軸として弾性作用する平板３１ａが設けられ、その平板の表面上方部に上面が傾斜して下面が平板に直角の凸部３１ｂが設けられている。前かごの取付板１１には、この凸部３１ｂに対応する位置に凸部が挿入される挿入穴１１ｂが空けられている。
【００２６】
左右に支軸３５ｂ、中央に抑制部３５ａを持つ撓み抑制材３５は、かご連結部３１の平板３１ａと左右の支持部３２に囲まれるように左右支持部３２の軸受けに支えられて配置されている。図６に示すように、中央の抑制部３５ａはかご連結部３１の平板３１ａの裏面に接して平板の撓みを抑制できる外形寸法域（撓み抑制域）と凸部が挿入穴から外れる程度またはそれ以上に平板が撓むことができる外形寸法域（撓み許容域）を持っている。撓み抑制材３５は非弾性体であって、その抑制部３５ａは支軸３５ｂを軸として回動でき、支持部３２と抑制部３５ａの間にかけられた線材バネ３５ｃの弾性によって、抑制部の平板方向にある部分が常に撓み許容域から撓み抑制域に戻るように復元力が働いて平板の裏面を押付けるようになっている。
【００２７】
前かご１を取付ける時（図７）は、段状の２つの取付穴１１ａに、かご連結部３１の前面の左右それぞれ上下の受け部３１ｃを押込むと、取付板１１の中央部が平板３１ａの凸部３１ｂを押付けることになり、この力が撓み抑制域にあって平板の裏面に接している（撓み抑制材３５の）抑制部３５ａに対して回転トルクとなるため、抑制部は撓み抑制域から撓み許容域に回動する。これによって平板３１ａは撓むことができ、撓んだ状態のままでかご１の取付板１１をかご連結部３１に面接触させながら押し下げることができる。かごの取付板を押下げていき、平板３１ａと撓み抑制材３５の復元力によって凸部３１ｂが取付板１１の挿入穴１１ｂに一致した時に挿入されると共に、取付板１１の取付穴１１ａの段状の水平縁が連結ユニット３１の受け部３１ｃ（の底）に当たって前かごが取付けられ固定される。
反対に前かご１を取外す時（図８）は、かご連結部３１の平板３１ａの上端の曲げ部分を手動でハンドル側に引寄せて撓ませようとする力が、撓み抑制域にある（撓み抑制材３５の）抑制部３５ａに対して回転トルクとなるため、抑制部は撓み抑制域から撓み許容域に回動する。これによって平板３１ａは撓むことができ、凸部３１ｂが挿入穴１１ｂから引き抜かれた状態で、前かご１を上方に引上げて取外すことができる。  
【実施例２】
【００２８】
請求項１、２，３に関する実施例２について、図９〜図１２に基づいて説明する。実施例２が、実施例１と異なる点は撓み抑制材３６とそれを支える左右支持部３２の軸受けである。
一般に硬質線材は少なからず弾性を持っているが、そのような硬質線材で成る図９、図１０に示す撓み抑制材３６は、左右支持部３２の軸受けで支えられる左右支軸３６ｂから直角に曲げられて支持部の内側に沿って延び、さらに平板３１ａの裏面に沿って抑制部３６ａとなって、その先で左右線材が一体である一本の線材の曲げ加工品である。さらに抑制部が平板３１ａを押付ける方向に復元力が働くように、左右支軸が左右方向で同一線上でなくずらされており、左右軸受けもこれに対応してずらされている。この支軸３６ｂをずらす位置角度を（つまり、加工時に非弾性状態での抑制部３６ａの位置角度を）変えることによって平板３１ａを押付ける力、復元力の大きさを変えることができる。
【００２９】
図１０に示すように、非弾性時の撓み抑制材３６の仮想位置に対し、平板が直立状態である定常モードの撓み抑制材は、撓んで弾性状態にあって平板３１ａの裏面を押付ける方向に復元力が働いている。
前かご１を取付ける時（図１１）に取付穴１１ａにかご連結部３１の前面の受け部３１ｃを押込んで取付板１１の中央部が平板３１ａの凸部３１ｂを押付ける力や、反対に前かごを取外す時（図１２）に平板３１ａを手動で撓ませようとする力が、平板の裏面を押付ける（撓み抑制材３６の）抑制部３６ａを撓ませて平板の撓みを許容することになり、平板が撓んだ状態（凸部３１ｂが挿入穴１１ｂから引き抜かれた状態）のままで、かご連結部３１に対して前かご１の取付板１１を押し下げたり、押上げたりできる。
【００３０】
この時の撓み抑制材３６の撓みは、図１０に示すように左右線材がそれぞれ左右の支軸３６ｂを定点として撓む場合（撓みモードＡ）と、左右線材が支持部３２に沿って延びて平板３１ａ裏面付近で曲げられ、裏面に沿って延びるその曲げ部分を定点として撓む場合（撓みモードＢ）がある。この作用の違いは抑制部３６ａの形状と線材の弾性の程度の違いによって生じるものであるが、効果はほぼ同じである。ちなみに前かご１を取付ける時の図１１（２）では撓みモードＡで表し、前かごを取外す時の図１２（１）（２）では撓みモードＢで表した。
【００３１】
ブラケットのハンドル（ポスト）取付部３４ｂ側の第一部分のアーム３４ａをかご連結部側の第二部分のアーム接続部に差込んで結合する構成において、線材で構成された撓み抑制材の場合、撓み抑制材３６が、左右線材の中央部の空いた空間を持つことによってアームが平板裏面のすぐ近くまで入り込めるので、アームを長くすることができ、長くしたアーム３４ａは、アーム接続部３３との接続位置を変えることによって、ハンドルと前かごの距離を調整することができる。この距離の調整によって異なるハンドル形状に対応し易くなるという利点がある。このことは次に示す別例１、２についても同様である。
【００３２】
図１３に撓み抑制材３６の（請求項１、２、３に関する）別例１を示す。この撓み抑制材３６の撓みは、図に示すように左右線材の抑制部３６ａがそれぞれ左右の支軸３６ｂを定点として撓むものである（撓みモードＡに相当）。
【００３３】
図１４に撓み抑制材３６の（請求項１、２、３に関する）別例２を示す。実施例２や別例１と同様に硬質線材で成る撓み抑制材３６は、左右支持部３２の軸受けで支えられる左右支軸３６ｂから直角に曲げられて支持部３２の内側に沿って延び、さらに平板３１ａの裏面に沿って抑制部３６ａとなって、その先で左右線材が一体である一本の線材の曲げ加工品である。
左右線材が左右支軸３６ｂから直角に曲げられた直後の左右支持部３２の内側部分に動止め３６ｃを設けることによって、左右支軸３６ｂが回動せず固定されるため、撓み抑制材３６は撓むことができ、平板３１ａを押付ける方向に復元力を発生することができる。
【実施例３】
【００３４】
請求項４、５に関する実施例３について図１５〜１８に基づいて説明する。図１５に、実施例３のブラケットによる前かご取付け全体図を示す。図１５、１７に示すように、ブラケット４は、ハンドルポスト２２に取付けるハンドル（ポスト）取付部３４ｂとアーム３４ａの部分（第一部分…実施例１、２と同一）と、次に前かご１を連結するかご連結部４１とそれを支持する左右の支持部４２とアーム接続部４３で構成される部分（第二部分）が、アーム３４ａをアーム接続部４３に差込んで螺子で結合して構成されている。
ハンドル（ポスト）取付部３４ｂは、ハンドルポスト２２を掴むようにして螺子締めされてハンドルポストに連結される。
図１６には、前かご取付板（普及形）の代表例を示す。
【００３５】
図１５〜図１８に示すようにブラケット４の第二部分のかご連結部４１は、取付板を押付ける押付け部材４１ａと２つの長穴１１ａに引掛け、取付板を押付ける上下２つの引掛け部材４１ｂと締付手段４１ｃで構成されている。
押付け部材４１ａは、その前方一部が前かご１の取付板１１を押付ける押付け面４１ａａとなっており、さらに取付板の長穴１１ａの上端に上向きに引掛けて取付板を受け、また取付板に接する側が押付け面４１ｂｂになっている引掛け部４１ｂａを有する引掛け部材４１ｂが、その内部に嵌め込んだ雌ネジ板４１ｂｃと、押付け部材４１ａにあけた位置調整用の長穴４１ａｂを通して押付け調整用雄ネジ（締付手段）４１ｃとがネジ連結されて、押付け部材４１ａに組込まれている。前かごの取付板は、押付け部材４１ａの押付け面４１ａａと引掛け部４１ｂａの押付け面４１ｂｂに挟込まれる恰好になり、押付け調整用雄ネジ（締付手段）４１ｃを締める方向に回すと引掛け部材４１ｂ、つまり引掛け部４１ｂａ（押付け面４１ｂｂ）が引寄せられて取付板を締付けることになる。
【００３６】
実施例３では、下方の引掛け部材４１ｂが上方の引掛け部材４１ｂと同様の形状で上下反対に取付けられ、それぞれの長穴１１ａの下端に下向きに引掛け部４１ｂａを引掛けられるように、上下位置調整用の長穴４１ａｂが押付け部材４１ａの下方にもあけられている。その長穴４１ａｂは、前かごの取付板１１の長穴１１ａの上端と下端に引掛け部を位置調整して引掛けることができるような長さを持っておく必要がある。
【００３７】
図１８は前かごの取付手順を示す。
（１）上方の押付け調整用雄ネジ（締付手段）４１ｃを緩めて上方の引掛け部材４１ｂを下げ、下方の押付け調整用雄ネジ（締付手段）４１ｃを緩めて下方の引掛け部材４１ｂを上げて、前かごの取付板の長穴１１ａに上下引掛け部４１ｂａを通して取付板を押付け部材４１ａの押付け面４１ａａに押し当て、
（２）上方引掛け部材４１ｂ（引掛け部４１ｂａ）を押上げて前かご取付板の長穴１１ａの上端に引掛けて、上方の押付け調整用雄ネジ（締付手段）４１ｃを締めて取付板を締付ける。
（３）同様に下方引掛け部材４１ｂ（引掛け部４１ｂａ）を押下げて前かご取付板の長穴１１ａの下端に引掛けて、下方の押付け調整用雄ネジ（締付手段）４１ｃを締めて取付板を締付けて、
前かごを固定することができる。手順（２）（３）を少し代えて、上方下方の引掛け部材４１ｂ（引掛け部４１ｂａ）を押上げ、押下げて、長穴１１ａの上端下端に引掛けてから、上方下方の押付け調整用雄ネジ（締付手段）４１ｃを締めて取付板を締付けて前かごを固定するという手順でも構わない。前かごの取外しは、以上と逆の手順で実施できる。
【００３８】
実施例３の別例（別例３）を示す。この別例３は、実施例３の下方の引掛け部材４１ｂの引掛け部４１ｂａを、前かごの取付板の下端にまで位置調整せずに長穴１１ａの途中でも引掛けられるように、方向可変手段４１ｄによって引掛けの方向を変えることができるようにしたものである。図１９に実施例３の別例３のブラケット４の引掛け部４１ｂａ（４１ｄａ）の方向可変手段４１ｄの構造を示し、図２０には方向可変手段の動作を示す。
先端に引掛け部４１ｄａを有する２つの方向可変手段４１ｄは軸形状で、方向可変軸４１ｄｅと、雄ネジ部４１ｄｆ、その雄ネジ部にネジ締めされる雌ネジ部４１ｄｇと、ツマミ挿入軸４１ｄｈ、その軸に操作ツマミ４１ｄｉが挿入されて構成されるもので、引掛け部材４１ｂとは別体である。引掛け部材４１ｂの左右にあけられた軸受け４１ｄｄの穴に、２つの方向可変手段４１ｄの軸がそれぞれ挿入されて雌ネジ部４１ｄｇで締付けられて引掛け部材４１ｂに組込み固定され、さらに押付け調整用の締付手段４１ｃによって押付け部材４１ａに組込まれた後、引掛け部４１ｄａの方向に合わせて操作ツマミ４１ｄｉが挿入される。
【００３９】
図２０に方向可変手段の動作を示す。ブラケット４のかご連結部４１を、図１５の前かごの取付板１１に取付ける時、上方の引掛け部材４１ｂの引掛け部４１ｂａは上向きで、下方の引掛け部材４１ｂについては、
（１）方向可変手段４１ｄを操作して引掛け部４１ｄａを下向きにしておいてから長穴１１ａに挿入し、上方の引掛け部材４１ｂの引掛け部４１ｂａを押上げて前かご取付板の長穴の上端に引掛けて、上方の押付け調整用雄ネジ（締付手段）４１ｃを締めて取付板を締付ける。
（２）下方の引掛け部材４１ｂに組込まれた左右の方向可変手段４１ｄのツマミ４１ｄｉを操作し、少し角度（約３０度位）を付けた所から生じる摩擦抵抗に抗して、
（３）ツマミを９０度の位置まで回す。左右の引掛け部４１ｄａを横方向（図２０では内側）に向けてから、下方の押付け調整用雄ネジ（締付手段）４１ｃを締めて取付板１１を締付けて、前かご１を固定する。
締付手段４１ｃによる締付けは、上方下方ともに最後でもよい。
【００４０】
図２０の断面図は、上記（１）（２）（３）における方向可変軸４１ｄｅとその軸を受ける軸受け４１ｄｄの位置関係の変化を示す。（２）の少し角度（約３０度位）を付けた所から生じる摩擦抵抗（と押付け部材４１ａと引掛け部４１ｄａの両押付け面４１ａａ、４１ｄｂによる取付板の締付けが加わること）によって、引掛け部４１ｄａの下方向または横方向の位置が安定するように作用するものである。
【００４１】
この別例３によれば、下方の左右引掛け部４１ｄａを下方向にして前かごを取付け、固定することをしないとすれば、左右引掛け部４１ｄａ、４１ｂａの上下方向の位置調整が不要になるので、押付け調整用雄ネジ（締付手段）４１ｃを通している押付け部材の位置調整用の長穴４１ａｂを丸穴にすることができ、かご連結部４１の縦方向の寸法を短縮できると共に、上下の引掛け部材４１ｂを一体構成にでき、押付け調整用雄ネジ（締付手段）４１ｃも１つにできる利点がある。また普及形前かご取付板の一番短い長さの長穴に取付けられるように寸法設計すれば、すべての普及形取付板を持つ前かごを取付できるようになる。
【産業上の利用可能性】
【００４２】
本発明は、自転車及び自動二輪車の前かご取付け用ブラケットを含む二輪車用品を製造する産業で利用される。
【符号の説明】
【００４３】
（実施例１、２、３）
１        前かご
１１      取付板
１１ａ    取付穴
１１ｂ    挿入穴（凸部挿入穴）
２        ハンドル
２１      ハンドルバー
２１ａ    ハンドルステム
２２      ハンドルポスト
２３      フレーム
２３ａ    ヘッドチューブ
（実施例１、２）
３        ブラケット
３１      かご連結部
３１ａ    平板
３１ｂ    凸部
３１ｃ    受け部
３１ｄ    スリット
３２      支持部
３３      アーム接続部
３４ａ    アーム
３４ｂ    ハンドル（ポスト）取付部
３５      撓み抑制材（実施例１）
３５ａ    抑制部
３５ｂ    支軸
３５ｃ    バネ
３６      撓み抑制材（実施例２）
３６ａ    抑制部
３６ｂ    支軸
３６ｃ    動止め
（実施例３）
４        ブラケット
４１      かご連結部
４１ａ    押付け部材
４１ａａ  押付け面
４１ａｂ  長穴（上下位置調整用）
４１ｂ    引掛け部材
４１ｂａ  引掛け部
４１ｂｂ  押付け面（引掛け部の）
４１ｂｃ  雌ネジ板
４１ｃ    締付手段（押付け調整用雄ネジ）
４１ｃａ  ツマミ（押付け調整用雄ネジの）
４２      支持部
４３      アーム接続部
（別例３）
４１ｄ    方向可変手段
４１ｄａ（方向可変手段の）引掛け部（＝４１ｂａ）
４１ｄｂ（方向可変手段の）押付け面（＝４１ｂｂ）
４１ｄｄ  軸受け（方向可変軸の）
４１ｄｅ  方向可変軸
４１ｄｆ  雄ネジ部
４１ｄｇ  雌ネジ板（またはナット）
４１ｄｈ  ツマミ挿入軸
４１ｄｉ  ツマミ
（従来例１）
７１      ブラケット
７２      バスケットステー
７２ａ    取付金具
（従来例２）
８        ブラケット
８１      かご連結部
８１ａ    受け部
８２      凸部機構ユニット
８２ａ    凸部
８２ｂ    機構部
８３      ハンドル（バー）取付部
８３ａ    把手
８３ｂ    調節バー
８３ｃ    補強材
８４      調節ねじ
（従来例３）
９        ブラケット
９１      取付板          （かご側）
９２      凸部機構ユニット（かご側）
９２ａ    凸部            （かご側）
９２ｂ    可動板          （かご側）
９２ｃ    機構部          （かご側）
９３      受け板          （ブラケット側）
９３ａ  （凸部）挿入穴    （ブラケット側）
９４      ハンドル（ポスト）取付部
９５      アーム
【図１】
2019038530.tif 000003
【図２】
2019038530.tif 000004
【図３】
2019038530.tif 000005
【図４】
2019038530.tif 000006
【図５】
2019038530.tif 000007
【図６】
2019038530.tif 000008
【図７】
2019038530.tif 000009
【図８】
2019038530.tif 000010
【図９】
2019038530.tif 000011
【図１０】
2019038530.tif 000012
【図１１】
2019038530.tif 000013
【図１２】
2019038530.tif 000014
【図１３】
2019038530.tif 000015
【図１４】
2019038530.tif 000016
【図１５】
2019038530.tif 000017
【図１６】
2019038530.tif 000018
【図１７】
2019038530.tif 000019
【図１８】
2019038530.tif 000020
【図１９】
2019038530.tif 000021
【図２０】
2019038530.tif 000022